(57)【特許請求の範囲】
【請求項１】
長方形の基部の中央部に帯状突出部を有し、該帯状突出部の両側面からそれぞれ前記基部を通して設けられたコンタクト配設用の複数の配設溝及び配設孔を有する第１の絶縁ブロックと、該第１の絶縁ブロックの前記配設溝及び配設孔に圧入保持されるものであって、一端部に相手方コンタクトに接触される接触部が形成され他端部に回路基板に接続される接続部が形成された複数の略Ｌ字状のコンタクトとを備えたプラグコネクタと、
前記第１の絶縁ブロックの帯状突出部が挿入される凹部が形成されている有底の枠体であって、該枠体の長手方向内周部から底部を通して設けられたコンタクト配設用の複数の配設孔及び前記枠体の長手方向底部周縁に設けられたコンタクト配設用の複数の案内溝を有する第２の絶縁ブロックと、所要の間隔で略リング状のコンタクトを複数備えるレセプタクルコネクタとから構成され、
該略リング状の各コンタクトは、一端部に相手方コンタクトに接触される接触部が形成されかつ前記一端部が第２の絶縁ブロックの配設孔に圧入されて配設固定され、他端部に回路基板に固定接続される接続部が形成されかつ前記他端部が第２の絶縁ブロックの外側底面部に設けた案内溝に、前記第２の絶縁ブロックがその長手方向に対し直交する方向に移動できる間隔をおいて案内位置決めされる回路基板用コネクタ。
【発明の詳細な説明】
【０００１】
【発明の属する技術分野】
本発明は回路基板相互間の回路を接続するために、両回路基板にそれぞれ搭載して接続されるプラグコネクタとレセプタクルコネクタとから成る回路基板用コネクタに関するものである。
【０００２】
【従来の技術】
従来の回路基板用コネクタは、図３及び図４に示すようなプラグコネクタとレセプタクルコネクタとから構成されている。図３（ａ）（ｂ）はレセプタクルコネクタ１とプラグコネクタ２の単体の斜視図である。図４はレセプタクルコネクタ１とプラグコネクタ２とを接続した状態の断面図である。図３及び図４により従来例を説明する。レセプタクルコネクタ１は、絶縁材料によりなる有底の長方形の枠体であって断面形状がコの字形に形成されている絶縁ブロック３と、その長手方向の内側両壁に所要の間隔で配設されている複数のコンタクト４から構成されている。絶縁ブロック３にはコンタクト４を配設するための配設孔５とそれに続く配設溝６がコンタクト数だけ設けられている。
【０００３】
コンタクト４はプラグコネクタ２のコンタクトと接触する接触部７と、図示してない回路基板の印刷回路に半田付により接続される接続部８とが設けられ、略Ｌ字状に形成されている。このコンタクト４の絶縁ブロック３に対する固定は、図５に示す部分断面図のように、コンタクト４の配設孔５への圧入部分の両側縁に複数の突起部９が形成されていて、矢印の方向から圧入することにより突起部９が絶縁ブロック３に食い込み、所定位置に固定されるようになっている。
なお、図３（ａ）のレセプタクルコネクタ１がプラグコネクタ２に接続されるときは、図４から明らかなように、コンタクト４の回路基板への接続部８が上側になるよう逆さにしてプラグコネクタ２に接続されるものである。また、図３（ａ）の絶縁ブロック３の下方に現れているコンタクト４の接続部８と、向い側壁面に現れている接触部７のとは、図４から明らかなように別体のコンタクト４のものである。
【０００４】
図３（ｂ）に示すプラグコネクタ２は、中央に分離帯部１１が設けられている断面形状が略Ｅ形に形成されている絶縁ブロック１２と、分離帯部１１の左右両壁に所要の間隔で配設されている複数のコンタクト１３から構成されている。絶縁ブロック１２にはコンタクト１３を配設するための配設孔１４とそれに続く配設溝１５がコンタクト数だけ設けられている。
コンタクト１３は、レセプタクルコネクタ１のコンタクト４の接触部７と接触する接触部１６と、図示してない回路基板の印刷回路に半田付により接続される接続部１７とが設けられ、略Ｌ字状に形成されている。このコンタクト１３の絶縁ブロック１２に対する固定は、図５に示した例と同様に、コンタクト１３の配設孔１４への圧入部分の両側縁に突起部９が形成されていて、その突起部９が絶縁ブロック１２に食い込み固定されるようになっている。
【０００５】
なお、図３（ｂ）の絶縁ブロック１２の下方に現れているコンタクト１３の接続部１７と、分離帯部１１の手前側に現れている接触部１６とは、図４から明らかなようにそれぞれ同一コンタクト１３のものであり、分離帯部１１の向う側に配列されているコンタクト１３は、図３（ｂ）には現れていない。
このレセプタクルコネクタ１とプラグコネクタ２は、それぞれ図示していない回路基板にコンタクト４，１３の接続部８，１７が半田付されて一体化され、回路基板同志が平行に接続された状態として使用されるものである。
【０００６】
【発明が解決しようとする課題】
しかしながら、回路基板は電子機器の回路ユニットのパネル等にそれぞれ固定されているもので、両回路基板のレセプタクルコネクタ１とプラグコネクタ２とを接続する場合、嵌合するときのズレ応力、及び両回路基板間の位置ズレによる応力は両コネクタに直接加わることになる。そしてこの応力は、両コネクタのコンタクトの接触部を変形させたり、コンタクトの回路基板への接続部とコネクタ固定部間のテールをバネとして吸収するようにしているが、いずれのコネクタも壁に沿ってテールが設けられているため、ズレ応力を吸収するには限界があり、両コネクタのコンタクトに変形を生じさせることになり、正常な接触が阻害され接触不良の原因となったり、コンタクト等に破損が生じたりする問題があった。また、両回路基板の位置ずれが生じないように関係部品の寸法精度を高めたり、組立作業時の作業者の組立精度の向上を図るなどしているが、いずれの場合もコストアップを招く問題があった。
本発明は、両コネクタの嵌合ズレや両回路基板間の位置ズレによるズレ応力の吸収を拡大して、前述した問題を解決するものである。
【０００７】
【課題を解決するための手段】
本発明による回路基板用コネクタは、長方形の基部の中央部に帯状突出部を有し、該帯状突出部の両側面からそれぞれ前記基部を通して設けられたコンタクト配設用の複数の配設溝及び配設孔を有する第１の絶縁ブロックと、該第１の絶縁ブロックの前記配設溝及び配設孔に圧入保持されるものであって、一端部に相手方コンタクトに接触される接触部が形成され他端部に回路基板に接続される接続部が形成された複数の略Ｌ字状のコンタクトとを備えたプラグコネクタと、
前記第１の絶縁ブロックの帯状突出部が挿入される凹部が形成されている有底の枠体であって、該枠体の長手方向内周部から底部を通して設けられたコンタクト配設用の複数の配設孔及び前記枠体の長手方向底部周縁に設けられたコンタクト配設用の複数の案内溝を有する第２の絶縁ブロックと、所要の間隔で略リング状のコンタクトを複数備えるレセプタクルコネクタとから構成され、
該略リング状の各コンタクトは、一端部に相手方コンタクトに接触される接触部が形成されかつ前記一端部が第２の絶縁ブロックの配設孔に圧入されて配設固定され、他端部に回路基板に固定接続される接続部が形成されかつ前記他端部が第２の絶縁ブロックの外側底面部に設けた案内溝に、前記第２の絶縁ブロックがその長手方向に対し直交する方向に移動できる間隔をおいて案内位置決めされたものである。
【０００８】
【発明の実施の形態】
図１及び図２は本発明の回路基板用コネクタの一実施例を示すもので、図１（ａ）（ｂ）はプラグコネクタ２１とレセプタクルコネクタ２２の単体の斜視図である。図２はこの両コネクタを接続した状態の断面図である。
プラグコネクタ２１は、絶縁材料により断面形状が略Ｔ字形に形成されている絶縁ブロック２３と、この絶縁ブロック２３の基部２４の中央部に設けられた帯状突出部２５の両側に所要の間隔で配設されている複数のコンタクト２６から構成されている。そして、絶縁ブロック２３にはコンタクト２６を配設するための配設孔２７とそれに続く配設溝２８がコンタクト数だけ設けられている。
【０００９】
コンタクト２６は、レセプタクルコネクタ２２のコンタクトと接触する接触部２９と、図示してない回路基板の印刷回路に半田付により接続される接続部３０とが設けられ、略Ｌ字状に形成されている。このコンタクト２６の絶縁ブロック２３に対する固定は、図５に示された例と同様に、コンタクト２６の配設孔２７への圧入部分の両側縁に突起部９が形成されていて、その突起部９が絶縁ブロック２３に食い込み固定されるようになっている。なお、図１（ａ）のプラグコネクタ２１がレセプタクルコネクタ２２に接続されるときは、図２から明らかなように、コンタクト２６の回路基板への接続部３０が上側になるよう逆さにしてレセプタクルコネクタ２２に接続されるものである。また、図１（ａ）の絶縁ブロック２３の下方に現れているコンタクト２６の接続部３０と、帯状突出部２５の手前側に現れている接触部２９とは、図２から明らかなようにそれぞれ同一コンタクト２６のものであり、帯状突出部２５の向う側に配列されているコンタクト１３は、図１（ｂ）には現れていない。
【００１０】
図１（ｂ）に示すレセプタクルコネクタ２２は、絶縁材料から成る有底の長方形の枠体であって、プラグコネクタ２１を構成する絶縁ブロック２３の帯状突出部２５が挿入される凹部３１が設けられた、断面形状がコの字形に形成されている絶縁ブロック３２と、その長手方向の内側両壁下方からそれぞれ上端縁を通って外壁下面まで巻回されるように略リング状に形成され、所要の間隔で配設されている複数のコンタクト３３とから構成されている。この絶縁ブロック３２の内周部から底部を通してコンタクト３３の一方端部３４を配設固定するための配設孔３５が、また絶縁ブロック３２の外側底面部にはコンタクト３３の他方端部３６を案内する案内溝３７が、コンタクト数だけ両枠にそれぞれ設けられている。
略リング状のコンタクト３３は、プラグコネクタ２１のコンタクト２６の接触部２９と接触する接触部３８と、図示してない回路基板の印刷回路に半田付により接続される接続部３９とが設けられている。このコンタクト３３の絶縁ブロック３２に対する固定は、図５に示す例と同様に、コンタクト３３の配設孔３５への圧入部分である一方端部３４の両側縁に突起部９が形成されていて、その突起部９が絶縁ブロック３２に食い込み固定されるようになっている。
【００１１】
本発明による回路基板用コネクタの一方のコネクタであるレセプタクルコネクタ２２は、回路基板の印刷回路に半田つけされるコンタクト３３の他方端部３６と、絶縁ブロック３２の内周部から底部を通して設けてある配設孔３５に圧入されている一方端部３４とは近接しており、かつコンタクト３３はリング状に形成されているため、絶縁ブロック３２は図２に示す断面図の左右方向に若干ではあるが、回路基板面に平行して移動し得るものである。
従って、プラグコネクタ２１とレセプタクルコネクタ２２との相互間で、嵌合ズレや位置ズレが生じた場合であっても、そのズレ応力を左右に配列されたコンタクト３３によって吸収することができるため、両コネクタのコンタクトに悪影響を及ぼすことが緩和されるものである。
【００１２】
【発明の効果】
以上詳細に説明したように本発明による回路基板用コネクタは、回路基板に搭載されているレセプタクルコネクタとプラグコネクタとが、回路基板の位置ズレ等により嵌合位置がズレている場合でもあっても、レセプタクルコネクタのリング状に形成されているコンタクトにより、その絶縁ブロックを移動可能とし、プラグコネクタの嵌合に弾力性を持たせ、前述の回路基板の位置ズレを吸収できるようにしたもので、回路基板の回路ユニット等などのパネルへの取付精度が緩和されるため、組立作業が行ない易くなる。また、両コネクタの位置ズレ状態での嵌合接続による両コネクタのコンタクトの変形が生じたり、正常な接触が阻害されることもなども、従来のコネクタに比較し大幅に改善される効果を奏するものである。
【図面の簡単な説明】
【図１】本発明による回路基板用コネクタの一実施例を示す斜視図である。
【図２】本発明による回路基板用コネクタの接続状態を示す断面図である。
【図３】従来の回路基板用コネクタの一例を示す斜視図である。
【図４】従来の回路基板用コネクタの接続状態を示す断面図である。
【図５】コンタクトを絶縁ブロックに固定する部分の固定構造を示す部分断面図である。
【符号の説明】
１，２２  レセプタクルコネクタ
２，２１  プラグコネクタ
３，１２，２３，３２  絶縁ブロック
４，１３，２６  略Ｌ形状のコンタクト
５，１４，２７，３５  配設孔
６，１５，２８  配設溝
７，１６，２９，３８  接触部
８，１７，３０，３９  接続部
１１  分離帯部
２４  基部
２５  帯状突出部
３１  凹部
３３  リング状のコンタクト
３７  案内溝
【図１】
0004028621.tif 000002
【図２】
0004028621.tif 000003
【図３】
0004028621.tif 000004
【図４】
0004028621.tif 000005
【図５】
0004028621.tif 000006